(57)【要約】【課題】被撮影者に撮影時の注意事項を守らせ、写りがよく、仕上がり品質の高い証明写真および人相占いに対して高い信憑性を獲得できる雰囲気を提供することができる。【解決手段】顔画像を撮影する撮影手段１１、画像情報を表示する表示手段１５、画像情報をプリントするプリント手段１６、用途に応じて証明写真のサイズを選択する手段、および被撮影者が操作することができる操作手段１３を備えた自動証明写真作成装置において、被撮影者の身体の構造的特徴を検出する手段を有する。【選択図】図２
2004187011.tif 000002
【特許請求の範囲】
【請求項１】
顔画像を撮影する撮影手段、
画像情報を表示する表示手段、
画像情報をプリントするプリント手段、
用途に応じて証明写真のサイズを選択する手段、
および被撮影者が操作することができる操作手段
を備えた自動証明写真作成装置において、
被撮影者の身体の構造的特徴を検出する手段を有することを特徴とする自動証明写真作成装置。
【請求項２】
前記撮影手段によって撮影した顔画像から顔の特定の位置を指定する手段を有することを特徴とする請求項１に記載の自動証明写真作成装置。
【請求項３】
被撮影者の身体の構造的特徴を検出することを前記表示手段によって被撮影者に告知することを特徴とする請求項１または請求項２に記載の自動証明写真作成装置。
【請求項４】
前記操作手段によってサービスを選択することができることを特徴とする請求項１乃至請求項３のいずれか１項に記載の自動証明写真作成装置。
【請求項５】
非撮影者の顔画像を撮影し、前記被撮影者の顔画像情報を得る撮影手段、
前記撮影手段によって得られた前記顔画像情報に基づいて前記被撮影者の顔画像を表示する表示手段、
前記表示された前記顔画像から任意の画像を確定する確定手段、
前記確定手段によって確定された顔画像をプリントするプリント手段、および用途に応じてプリントする顔画像のサイズを選択する手段、
を備えた自動証明写真作成装置において、
前記確定された顔画像の構造的特徴を検出する構造的特徴検出手段を有することを特徴とする自動証明写真作成装置。
【請求項６】
前記表示手段に表示された顔画像における顔の特定の位置を指定する特定位置指定手段を有し、指定された位置に基づいて、前記構造的特徴検出手段は、顔画像の構造的特徴を検出することを特徴とする請求項５に記載の自動証明写真作成装置。
【請求項７】
顔画像を撮影する撮影手段、画像情報を表示する表示手段、画像情報をプリントするプリント手段、用途に応じて証明写真のサイズを選択する手段および利用者が操作することができる操作手段を用いて無人で写真撮影を行う撮影方法において、
被撮影者の身体の構造的特徴を検出することを特徴とする証明写真の撮影方法。
【請求項８】
前記撮影方法によって撮影した顔画像から顔の特定位置を指定する事を特徴とする請求項７に記載の証明写真の撮影方法。
【請求項９】
被撮影者の身体の構造的特徴を検出することを前記表示手段によって被撮影者に告知することを特徴とする請求項７または請求項８に記載の証明写真の撮影方法。
【請求項１０】
前記操作手段によってサービスを選択することができることを特徴とする請求項５乃至請求項９のいずれか１項に記載の証明写真の撮影方法。
【発明の詳細な説明】
【０００１】
【発明の属する技術分野】
この発明は、自動証明写真作成装置および証明写真の撮影方法に関し、詳しくは被撮影者の身体の構造的特徴を検出することが可能な自動証明写真作成装置および証明写真の撮影方法に関する。
【０００２】
【従来の技術】
証明写真は従来写真店で撮影することが多かったが、無人で稼働するいわゆる自動証明写真作成装置の高画質化に伴い、自動証明写真作成装置の利用が増加している。自動証明写真作成装置では、きれいな証明写真を撮影するために必要な姿勢、表情、視線等について画面表示や音声案内を用いて被撮影者に伝えていたが、被撮影者は必ずしもそれらの指示には従わず、そのため証明写真の仕上がり品質が劣化することがあった。このように、被撮影者に前記指示に従わせることが自動証明写真作成装置の課題であった。
【０００３】
この発明と一見類似の構成からなる発明として、顔画像を撮影する撮影手段、情報を表示する表示手段、プリント手段を備えた装置を用いてニューラルネットワークによって被判定者の人相を判定する人相判定方法が知られていた（例えば特許文献１および２）。
【０００４】
【特許文献１】
特開平６−１２９８３４号公報（第１〜第９頁、図１〜図９）
【０００５】
【特許文献２】
特開平７−２７１９６４号公報（第１〜第７頁、図１〜図９）
【０００６】
【発明が解決しようとする課題】
しかしながら、易者がいなくても人相を判定することを目的とする前記人相判定方法では、無人で装置を稼働させたり、証明写真を作成することは難しかった。即ち、装置の構成からは明らかに装置を操作する操作者が必要であった（前記明細書図１および
【０００８】段落参照）。
【０００７】
また、該明細書には被撮影者の顔写真をプリントすることは例示も示唆もされておらず、輪郭抽出によって作成した被撮影者の似顔絵をプリントすることが示唆されているのみである。従って、撮影した顔写真をプリントしたり、証明写真に適合するようにプリントすることは記載も示唆もされていない。
【０００８】
このように、前記明細書記載の発明は易者がいなくても人相を判定することを目的としている点、無人での稼働や証明写真の提供とは全く関連していない点でこの発明とは本質的に異なる。
【０００９】
占いサービスを提供する場合にはその場の雰囲気が重要であり、ゲームセンター等の遊戯施設に設置してある装置で占いを提供してもその信憑性は高くなかった。従って、提供された占い結果が高い信憑性を獲得できる雰囲気を提供することが課題であった。
【００１０】
この発明の課題は前記の問題点を解決し、被撮影者に撮影時の注意事項を守らせ、写りがよく、仕上がり品質の高い証明写真および人相占いに対して高い信憑性を獲得できる雰囲気を提供することができる自動証明写真作成装置および証明写真の撮影方法を提供することにある。この発明の別の目的は明細書の記載によって明らかにする。
【００１１】
【課題を解決するための手段】
上記目的は下記の構成により達成される。
（１）顔画像を撮影する撮影手段、
画像情報を表示する表示手段、
画像情報をプリントするプリント手段、
用途に応じて証明写真のサイズを選択する手段、
および被撮影者が操作することができる操作手段
を備えた自動証明写真作成装置において、
被撮影者の身体の構造的特徴を検出する手段を有することを特徴とする自動証明写真作成装置。
（２）前記撮影手段によって撮影した顔画像から顔の特定の位置を指定する手段を有することを特徴とする（１）に記載の自動証明写真作成装置。
（３）被撮影者の身体の構造的特徴を検出することを前記表示手段によって被撮影者に告知することを特徴とする（１）または（２）に記載の自動証明写真作成装置。
（４）前記操作手段によってサービスを選択することができることを特徴とする（１）乃至（３）のいずれかに記載の自動証明写真作成装置。
（５）非撮影者の顔画像を撮影し、前記被撮影者の顔画像情報を得る撮影手段、
前記撮影手段によって得られた前記顔画像情報に基づいて前記被撮影者の顔画像を表示する表示手段、
前記表示された前記顔画像から任意の画像を確定する確定手段、
前記確定手段によって確定された顔画像をプリントするプリント手段、および用途に応じてプリントする顔画像のサイズを選択する手段、
を備えた自動証明写真作成装置において、
前記確定された顔画像の構造的特徴を検出する構造的特徴検出手段を有することを特徴とする自動証明写真作成装置。
（６）前記表示手段に表示された顔画像における顔の特定の位置を指定する特定位置指定手段を有し、指定された位置に基づいて、前記構造的特徴検出手段は、顔画像の構造的特徴を検出することを特徴とする（５）に記載の自動証明写真作成装置。
（７）顔画像を撮影する撮影手段、画像情報を表示する表示手段、画像情報をプリントするプリント手段、用途に応じて証明写真のサイズを選択する手段および利用者が操作することができる操作手段を用いて無人で写真撮影を行う撮影方法において、
被撮影者の身体の構造的特徴を検出することを特徴とする証明写真の撮影方法。
（８）前記撮影方法によって撮影した顔画像から顔の特定位置を指定する事を特徴とする（７）に記載の証明写真の撮影方法。
（９）被撮影者の身体の構造的特徴を検出することを前記表示手段によって被撮影者に告知することを特徴とする（７）または（８）に記載の証明写真の撮影方法。
（１０）前記操作手段によってサービスを選択することができることを特徴とする（５）乃至（９）のいずれかに記載の証明写真の撮影方法。
【００１２】
【発明の実施の形態】
以下、この発明の実施の形態に係わる自動証明写真作成装置および証明写真撮影方法について詳細に説明する。
【００１３】
この発明の被撮影者の身体の構造的特徴とは、例えば両眼の間隔、口の幅、鼻の大きさ、顔の幅、顔の長さ等やそれぞれの大きさ、長さの比、相対的位置関係等の被撮影者固有の身体的特徴であって、目つぶりや表情等、瞬間的に変化するものは含まない。この発明の被撮影者の身体の構造的特徴は被撮影者の顔固有の特徴であることが好ましく、被撮影者の両眼の間隔、口の幅、鼻の大きさ、顔の幅、顔の長さ等やそれぞれの大きさ、長さの比、相対的位置関係であることが最も好ましい。
【００１４】
この発明で顔の特定の位置とは、例えば目の位置、顎の位置、鼻の先端の位置、頭頂の位置等、顔の中にあって、特定できる位置である。被撮影者が該顔の特定位置を指定するためには、判りやすい位置、例えば顎（の先端）の位置等、指示しやすい位置を選択することが好ましい。
【００１５】
図１はこの発明の自動証明写真作成装置の概略図である。図２はこの発明の一実施の形態例を示すブロック図である。
【００１６】
制御手段１０はＭＰＵ等の演算手段であり、この発明の自動写真撮影装置１の制御、情報の演算等を行い、撮影手段１１、支払いを受ける手段１２、操作手段１３、記憶手段１４、表示手段１５、プリント手段１６と接続されている。このように構成された装置の動作を説明すれば、以下の通りである。
【００１７】
撮影手段１１は被撮影者を撮影するものであって、ＣＣＤ等の光電変換機能を有する物が好ましく用いられ、例えばビデオカメラ、デジタルカメラ等を利用することができ、図１に示すように、デジタルカメラを利用することが好ましい。デジタルカメラは、ハーフミラー２０を介して被撮影者２１を撮影し、被撮影者２１は撮影ボックス２２内に配置された照明２３で照明される。撮影手段１１は垂直方向の画素数が水平方向の画素数よりも多くなるように設置することが好ましい。
【００１８】
支払いを受ける手段１２は被撮影者に課金するための手段である。支払いを受ける手段１２は表示手段１５に表示したサービスに応じた課金を行う。支払いを受ける手段１２は貨幣、紙幣の他、貨幣代替物による支払いを受けることが可能である。例えば、クレジットカード、プリペイドカード、デビットカード、携帯電話による課金サービス等による支払いを受けることができる。この発明の自動証明写真作成装置は無人での営業運転をするために支払いを受ける手段を有することが好ましい。
【００１９】
操作手段１３は丸形、三角型等のボタンや、キーボード、テンキー、タッチパネルを用いることができるが、図１に示すように、液晶タッチパネルを用いることが好ましい。この液晶タッチパネルには、用途に応じて証明写真のサイズを選択する手段が備えられる。
【００２０】
記憶手段１４は制御手段１０から送られた情報を記憶するものであって、半導体メモリ、ハードディスク等を用いることができる。制御手段１０および記憶手段１４は、図１に示すように、パーソナルコンピューターを用いることが好ましい。
【００２１】
表示手段１５は被撮影者に情報を伝えるために情報を表示する物であって、ＣＲＴ、液晶表示装置等を用いることができ、液晶表示装置を用いることが好ましい。操作手段１３および表示手段１５は、液晶タッチパネルを用いることが好ましい。
【００２２】
プリント手段１６は撮影した顔画像や被撮影者の身体の構造的特徴を利用した例えば人相占いの結果等をプリントして被撮影者に提供する事ができ、昇華型プリンター、熱溶融プリンター、感熱発色式プリンター、インクジェットプリンター、銀塩写真装置等を用いることができるが、図１に示すように、昇華型プリンターを用いることが好ましい。
【００２３】
図３はこの発明の自動写真撮影装置内で被撮影者が行う操作の１例を示す流れ図である。
【００２４】
被撮影者２１が自動写真撮影装置１に入ると人物センサーＳ１が作動し、表示手段１５が表示を開始する。被撮影者２１は表示手段１５に表示されたサービスの選択肢（「証明写真」、「人相占い」）からサービスを選択する（Ｓ０１）。
【００２５】
「証明写真」が選択された場合には、証明写真の料金が表示手段１５に表示され、被撮影者２１は所定の料金を支払う（Ｓ０２）。次に、被撮影者２１は表示手段１５と音声案内に従って、カラー／白黒を選択し（Ｓ０３）、必要な写真の大きさを選択する（Ｓ０４）。
【００２６】
次に、表示手段１５および音声案内によって「いすに深く腰掛け、背筋を伸ばして下さい」「顎を引いてリラックスしてください」等が指示され、撮影に備えて顔の位置を合わせる（Ｓ０５）。撮影準備が済むと撮影手段１１によって被撮影者２１を撮影し（Ｓ０６）、表示手段１５に撮影した画像を表示し、撮り直しの要否を確認する（Ｓ０７）。撮り直し要ならばＳ０６に戻って再度撮影する。撮り直しが必要無い場合（このとき確認ボタン等の確定手段によって顔画像が確定される）には、撮影した顔画像をプリントして（Ｓ０８）終了となる。
【００２７】
「人相占い」が選択された場合には、人相占いの料金が表示手段１５に表示され、被撮影者２１は所定の料金を支払う（Ｓ０９）。次に、表示手段１５および音声案内によって「いすに深く腰掛け、背筋を伸ばして下さい」「顎を引いてリラックスしてください」等が指示され、撮影に備えて顔の位置を合わせる（Ｓ１０）。
【００２８】
撮影準備が済むと撮影手段１１によって被撮影者２１を撮影し（Ｓ１１）、表示手段１５に撮影した画像を表示し、撮り直しの要否を確認する（Ｓ１２）。撮り直し要ならばＳ０６に戻って再度撮影する。撮り直しが必要無い場合（このとき確認ボタン等の確定手段によって顔画像が確定される）には、撮影した顔画像から自動認識によって顔の顎の位置を検出し、（Ｓ１３）その結果を表示手段１５に表示する。
【００２９】
被撮影者２１は表示された顔画像と顎の位置を示す線を確認し、ずれていれば操作手段１３を操作して顎の位置を示す線の位置を修正する（Ｓ１４）。顎の位置が確認されるとそれを基準点として被撮影者２１の両眼の間隔、口の幅、鼻の大きさ、顔の幅、顔の長さおよびそれぞれの大きさ、長さの比、相対的位置関係を抽出し（Ｓ１５）、予め用意された人相の類型のうち最も近い物を選択し、その類型に応じて予め用意されていた占い文を選択し（Ｓ１６）、撮影した顔画像と該占い文をプリントして（Ｓ１７）終了となる。
【００３０】
比較例１として、前記自動証明写真作成装置の機能から人相占いを外し、通常の証明写真のみを撮影することができるように構成した。この場合、表示装置や音声案内では人相占いについては全く触れていないため、被撮影者が人相占いを意識することは無い。この発明の自動証明写真作成装置では前記実施の態様にあるように、人相占いができることを被撮影者に告知している。
【００３１】
比較例１とこの発明の自動証明写真作成装置によって撮影した証明写真の画質を比べるために、モニター１０名に各々の装置で証明写真を撮影してもらい、得られた証明写真の仕上がりを２名の専門評価員が評価し、５点満点で評点を付けた。
【００３２】
比較例１の装置で撮影した証明写真の評点は合計７３点であったのに対し、この発明の自動証明写真作成装置で撮影した証明写真の評点の合計は８５点であった。この発明の自動証明写真作成装置で撮影した証明写真は比較例１に対し明らかに仕上がりが良好であった。これは、人相占いを意識することで、撮影に際しての指示をより注意深く守るようになったためと考えられる。
【００３３】
比較例２として、前記自動証明写真作成装置の機能は変更せずに外観のみを変更し、遊技シール作成機（いわゆるプリクラ）と類似の外観デザインとした装置を作成した（以後プリクラ機と称する）。
【００３４】
比較例２のプリクラ機とこの発明の自動証明写真作成装置によって実施した人相占いの信憑性を比べるために、モニター１０名に人相占いをしてもらい、得られた占い結果の信憑性を１０点満点で評価した。比較例２のプリクラ機で実施した人相占いの信憑性の評点は合計６５点であったのに対し、この発明の自動証明写真作成装置で実施した人相占いの信憑性の評点の合計は８０点であった。この発明の自動証明写真作成装置で実施した人相占いは比較例２に対し明らかに信憑性が高かった。これは、いわゆるプリクラのような装置よりも自動証明写真作成装置の方がきれいな顔画像情報が得られ、まじめな用途に使われていることと併せて、結果として得られる人相占いの信憑性が増したとモニターが感じた結果と考えられる。
【００３５】
この発明の自動証明写真作成装置と人相占いを組み合わせた構成により、驚くべきことに証明写真の仕上がりが良くなり、また、人相占いの信憑性が上がることが明らかになった。即ち、この発明の装置で証明写真を撮影した被撮影者の仕上がり写真の評価値は、比較例の装置で証明写真を撮影した場合に比べて有意に高かった。
【００３６】
【発明の効果】
この発明により被撮影者に撮影時の注意事項を守らせ、写りがよく、仕上がり品質の高い証明写真を提供し、高い信憑性を獲得できる雰囲気を提供することができる自動証明写真作成装置および証明写真の撮影方法を提供することができた。
【図面の簡単な説明】
【図１】この発明の一実施の形態例を示す概念図である。
【図２】この発明の一実施の形態例を示すブロック図である。
【図３】この発明の一実施の形態例を示す流れ図である。
【符号の説明】
１  自動写真撮影装置
１０  制御手段
１１  撮影手段
１２  支払いを受ける手段
１３  操作手段
１４  記憶手段
１５  表示手段
１６  プリント手段
【図１】
2004187011.tif 000003
【図２】
2004187011.tif 000004
【図３】
2004187011.tif 000005